(57)【特許請求の範囲】
【請求項１】
グリップ部を有するケーシングと、そのケーシングに上端を枢支され、前方へ附勢されるレバー部とを有し、そのレバー部の枢動で起動されるリンクアームと、そのリンクアームの上端で摺動されるピストン部材と、そのピストン部材と同期して摺動する打ち込みロッドと、その打ち込みロッドの摺動先端に配置される溝付きの中空ニードルと、その中空ニードルの後方に形成されているプラスチック製の係止ピン材のアッセンブリ装着ガイド部とを有し、そのアッセンブリ装着ガイドに対応して送り爪を備えたアッセンブリの送り機構を設け、前記したアッセンブリ装着ガイド部の下部に、前記アッセンブリの連結部の排出方向性をガイドするガイドアタッチメントを着脱交換自在に備えており、ケーシングの一側面に前記したアッセンブリの連結部の排出ガイド溝を備え、前記したガイドアタッチメントはその排出ガイド溝に向け屈曲させるカーブ面を有するものとし、ケーシングの排出ガイド溝と対応する部分及び前記したレバー部の一部にアッセンブリの連結部を通過させる透孔を穿設させてある係止ピン材の装着装置において、前記した排出ガイド溝は前方から後方にかけて徐々に深度と幅を狭め、連結部の先端をケーシングから離れて行く方向で排出することを特徴とする係止ピン材の装着装置。
【請求項２】
前記したレバー部に形成されるアタッチメントの一部を挿通させる透孔は内面にアール面が形成され、レバー部の枢動の際にそのアール面がアタッチメントの挿通された一部外面と摺接し、隙間の発生を防止していることを特徴とする請求項１に記載の係止ピン材の装着装置。
【請求項３】
前記した中空ニードルには不使用時に被冠されるニードルキャップが着脱自在に備えられ、そのニードルキャップの先端には残留した連結部を掻き出すための掻き出し爪を一体に備えていることを特徴とする請求項１に記載の係止ピン材の装着装置。
【請求項４】
前記したアッセンブリ装着ガイド部に沿って、係止ピン材の単体をアッセンブリから切離するカッターを着脱自在に備え、そのカッターの下端は略Ｌ字状に屈曲させ、このカッターの下端を前記したガイドアタッチメントに形成されたアール状の押圧部で押圧位置決めすることを特徴とする請求項１に記載の係止ピン材の装着装置。
【請求項５】
前記したニードルキャップ先端の掻き出し爪は一部を切り欠いて、前記カッターのＬ字状とした下端部に掛け、取り外し作業を行なうことができるようにしてあることを特徴とする請求項３または４に記載の係止ピン材の装着装置。
【請求項６】
前記したアッセンブリ装着ガイド部と中空ニードルの溝とを連通させる、ケーシングに形成されたフィラメントの通行ガイド溝を一部波状とし、係止ピン材のパドル部を逃がしてやる構成としてあることを特徴とする請求項１に記載の係止ピン材の装着装置。
【請求項７】
前記した排出ガイド溝の内奥壁面の一部に断面を山形とした補助テーパ部を形成してあることを特徴とする請求項１に記載の係止ピン材の装着装置。
【発明の詳細な説明】
【技術分野】
【０００１】
本発明は係止ピン材、主として商品としての衣服等に価格や品質等を表示したタグを吊持させるプラスチック製の係止ピン材をワンアクションで連続的に装着することができる係止ピン材の装着装置の改良に関する。
【背景技術】
【０００２】
従来より、前記した係止ピン材として図１４として示すものが知られている。ここで、係止ピン材１は装着前バー状の連結部２に等ピッチで保持ピン３、３‥を介して接続並設されたアッセンブリＡとされている。係止ピン材１はフィラメント部４を有し、その頭部に抜け止め用のパドル部５、下端部に直交状態で抜け止め用の横架部６を一体に備えており、装着装置によって対象となる衣服等にタグを吊持した状態で打ち込み装着される。
【０００３】
この装着装置は種々のタイプのものが知られているが、その概要は前記したアッセンブリの装着ガイドを上下方向に貫通状態で形成し、レバー部を操作してピストン部材を摺動させ、そのピストン部材の前端に備えられた打ち込みロッドで前記横架部６を溝付きの中空ニードル内に押し込み（この時横架部６は保持ピン３から切離される）、対象物に係止ピン材１を装着する。タグはその装着孔に中空ニードルを通し、そのまま中空ニードルを対象物に押し込んだ状態となっているので、横架部６は中空ニードル内を通り、対象物の背面側へ達し、フィラメント部４は中空ニードルの溝に沿って放出される。
【０００４】
また、前記アッセンブリＡを各係止ピン材１、１‥ごとのピッチで送る機構が設けられており、係止ピン材１、１‥を順次切離した残余の連結部２はそのまま直下方向へ送られ排出されていく構成が一般的であった。
【０００５】
さらに、前記した送り機構は送り爪を回動させることでアッセンブリＡの保持ピン３を引っ掛け送るものとされるが、複数のアーム材等を組み合せ使用する等の複雑で部品点数も増え、ストローク負荷が大きくなってしまうのである。
【０００６】
そして、前記した連結部２の排出に関し、直下へ送ることは操作者のグリップ及びレバー部を握る指の前部へその連結部が出現することとなり、その操作者の操作の邪魔となったり、残っている保持ピン部３、３‥で損傷してしまう虞もある。
【０００７】
そこで、近時、この連結部２を装置本体内へ送り通して、装置の後面から排出する構成が、直下方向への排出と切り換え機構により可能として提案されている。
【０００８】
また、前記した中空ニードルの後端部に係止ピン材の単体をアッセンブリから切離するためのカッターが一体に備えている構造の時、カッター部分が損傷した場合、中空ニードル自体を交換しなければならず非常に不経済なものとなってしまう。
【０００９】
さらに、アッセンブリの連結部が短尺な場合、後面から排出するには長さが足りず、途中で停止し、詰ってしまう事態も発生してしまう。
【特許文献１】特開２００１−２５３４１９号公報
【特許文献２】実用新案登録第３１１２８４８号公報
【特許文献３】特願２００６−４６５７４号出願書類
【発明の開示】
【発明が解決しようとする課題】
【００１０】
本発明が解決しようとする問題点は係止ピン材が切離された後の連結部の排出を装置内を通してその後方へ行なうと、その先端が操作者へ向き、顔面等を傷付ける虞があり、また、アッセンブリとして短尺のものを用いた時その連結部は装置内に留まってしまい、除去するのにケーシングを分解しなければならず、種々の長さサイズのアッセンブリに全て対応させることは困難であるという点である。
【００１１】
また、本発明が解決しようとする他の問題点はアッセンブリの送り機構が複雑で部品点数が増え、その分故障も発生しやすく価格も高くなり、しかもストローク負荷が大きくなってしまうという点であり、カッター部の損傷で中空ニードル自体を交換しなければならない事態が生じてしまうことであり、着脱自在のカッターを用いた時、その位置決めや取り外しが面倒となってしまう点である。
【課題を解決するための手段】
【００１２】
前記した問題点を解決するために、本発明に係る係止ピン材の装着装置はグリップ部を有するケーシングと、そのケーシングに上端を枢支され、前方へ附勢されるレバー部とを有し、そのレバー部の枢動で起動されるリンクアームと、そのリンクアームの上端で摺動されるピストン部材と、そのピストン部材と同期して摺動する打ち込みロッドと、その打ち込みロッドの摺動先端に配置される溝付きの中空ニードルと、その中空ニードルの後方に形成されているプラスチック製の係止ピン材のアッセンブリ装着ガイド部とを有し、そのアッセンブリ装着ガイドに対応して送り爪を備えたアッセンブリの送り機構を設け、前記したアッセンブリ装着ガイド部の下部に、前記アッセンブリの連結部の排出方向性をガイドするガイドアタッチメントを着脱交換自在に備えており、ケーシングの一側面に前記したアッセンブリの連結部の排出ガイド溝を備え、前記したガイドアタッチメントはその排出ガイド溝に向け屈曲させるカーブ面を有するものとし、ケーシングの排出ガイド溝と対応する部分及び前記したレバー部の一部にアッセンブリの連結部を通過させる透孔を穿設させてある係止ピン材の装着装置において、前記した排出ガイド溝は前方から後方にかけて徐々に深度と幅を狭め、連結部の先端をケーシングから離れて行く方向で排出することを特徴としている。
【００１３】
また、本発明に係る係止ピン材の装着装置は前記したレバー部に形成されるアタッチメントの一部を挿通させる透孔は内面にアール面が形成され、レバー部の枢動の際にそのアール面がアタッチメントの挿通された一部外面と摺接し、隙間の発生を防止していることを特徴とし、前記した中空ニードルには不使用時に被冠されるニードルキャップが着脱自在に備えられ、そのニードルキャップの先端には残留した連結部を掻き出すための掻き出し爪を一体に備えていることを特徴としている。
【００１４】
さらに、本発明に係る係止ピン材の装着装置は前記したアッセンブリ装着ガイド部に沿って、係止ピン材の単体をアッセンブリから切離するカッターを着脱自在に備え、そのカッターの下端は略Ｌ字状に屈曲させ、このカッターの下端を前記したガイドアタッチメントに形成されたアール状の押圧部で押圧位置決めすることを特徴とし、前記したニードルキャップ先端の掻き出し爪は一部を切り欠いて、前記カッターのＬ字状とした下端部に掛け、取り外し作業を行なうことができるようにしてあることを特徴とし、前記したアッセンブリ装着ガイド部と中空ニードルの溝とを連通させる、ケーシングに形成されたフィラメントの通行ガイド溝を一部波状とし、係止ピン材のパドル部を逃がしてやる構成としてあることを特徴とし、前記した排出ガイド溝の内奥壁面の一部に断面を山形とした補助テーパ部を形成してあることを特徴としている。
【発明の効果】
【００１５】
本発明に係る係止ピン材の装着装置は上記のように構成されている。従って、アッセンブリから係止ピンが切離された残余の連結部は保持ピンのみを残した状態でケーシングのサイド後方へ順次排出され、しかもその方向は徐々にケーシングと離れていくこととなるので、操作者はその連結部によって損傷する虞やその連結部が作業の邪魔をすることもなく、しかもアッセンブリの長さの差異にかかわらず全ての長さサイズのものに対応できる。また、直下方向へ排出することもアタッチメントの交換で可能となり、従来のように切り替え機構は不要となり、その切り替えに関して故障を生じることも一切ないものとなっており、アッセンブリが短尺でも掻き出すことが可能となり、着脱自在としたカッターの位置決めや取り外しも容易に行なうことができる。
【００１６】
また、本発明の上記した構成によれば、アッセンブリの送り機構は先端に送り爪を備えた枢動部材のみで可能となり、この枢動部材をピストン部材で作動させ、また支持部材の係合ピンでその域を制御するので、部品点数は少なくて済み、その分故障の発生や価格を抑えることが可能となり、ストロークの負荷も減るので、操作での疲労も小さなものとでき、装置全体の小型化、軽量化も図れるものとなっている。
【００１７】
さらに、本発明の上記した構成によれば、途中詰まったり、終了してしまった、あるいはピッチが粗かったり、細かい場合等でも連結部をニードルキャップの先端の掻き出し爪により容易に取り出すことができることとなる。
【発明を実施するための最良の形態】
【００１８】
図面として示す実施例のように構成することで実現した。
【実施例１】
【００１９】
次に、本発明の好ましい実施の一例を図面を参照して説明する。図１は本発明を実施した係止ピン材の装着装置を示す側面図、図２は同じく右側面図、図３は同じく内部機構を示す図、図４は同じく平面図、図５は同じく内部機構の一部を示す斜視図、図６は同じくリンクアームやカバープレートを外した状態の機構図、図７は同じく枢動部材と支持部材を示す図、図８は第一のアタッチメントを示す平面図、図９は同じく部分断面図、図１０は同じく底面図、図１１は同じく第二のアタッチメントを示す平面図、図１２は同じく断面図、図１３は同じく底面図、図１４は使用される係止ピン材のアッセンブリを示す斜視図、図１５はニードルキャップを示す図、図１６は同じくニードルキャップの他の例を示す平面図、図１７は同じく側面図、図１８は同じく底面図、図１９は同じく正面図、図２０は同じく使用状態を示す図、図２１は同じく装着状態を示す図である。
【００２０】
これらの図にあって図中１０は係止ピン材の装着装置本体を示している。この装着装置本体１０は左右一対を重合し、ビスで固定されるプラスチック製のケーシング１１を有しており、このケーシング１１は握持して操作を行なうためのグリップ部１２を有している。なお、図中１３はこの装着装置本体１０を卓上等に置いた際の滑り止めとなるゴムパッドを示している。
【００２１】
前記したグリップ部１２の前方には上端をピン１４で枢支されたレバー部１５が設けられている。このレバー部１５の後面中程には後述するリンクアームの枢支ピンとの衝突を避ける切り欠き１５ａが形成され、下端後部にはグリップ部１２の下端に形成されたストッパ１２ａと係合して脱落を防止する係合部１５ｂが形成されている。
【００２２】
また、図中１６はグリップ部１２に設けられたピン１７に、略中央部分に穿設された透孔を嵌合し、枢支されているリンクアームであり、このリンクアーム１６はコイルスプリング１８によって常時初期状態方向へ引張附勢されている。このリンクアーム１６はその下方前端面をレバー部１５により押され、ピン１７を軸として枢動するものとなっている。
【００２３】
一方、図中１９はピストン部材を示しており、このピストン部材１９は前進と後退のため、前受部１９ａと後受部１９ｂとを有しており、その前受部１９ａと後受部１９ｂはプレート１９ｃで一体に連結した構成としてあるもので、その前受部１９ａと後受部１９ｂ間にリンクアーム１６の上部が挿入された構成とされている。なお、ピストン部材１９は直線的に前後進させるため、ボックス状としたガイド溝２０内に収容されている。
【００２４】
前記したピストン部材１９の前受部１９ａの前面には打ち込みロッド２１の後端が固着されている。即ち、レバー部１５を握り、リンクアーム１６を枢動させると、そのリンクアーム１６の上部の動作によってピストン部材１９の前受部１９ａが押され、前進するが、この前進に同期して打ち込みロッド２１も直線的に前進することとなる。
【００２５】
この打ち込みロッド２１は装着装置本体１０の前端面に取り付けられた中空ニードル２２内まで挿入される。この中空ニードル２２は対象物へ刺し通すもので、アッセンブリＡを装着装置本体１０へセットし、係止ピン材１の装着作業をする際、係止ピン材１のフィラメント部４が通過するための溝（スリット）２２ａが側面に形成されている。
【００２６】
装着装置本体１０の前方寄りには上方からアッセンブリＡをセットする装着ガイド部２３が形成され、この装着ガイド部２３には連結部２を挿し込む挿し込み部２３ａ、フィラメント部４を通過させるスリット溝２３ｂが形成され、横架部６は直線的に装着装置本体１０の前後方向へ沿った位置でセットされることとなる。
【００２７】
また、この装着ガイド部２３に沿ったケーシング１１の前方寄りには、フィラメント部４が通過する通行ガイド溝４０の一次側に、下端をＬ字形に屈曲したカッター４１が着脱自在に備えられ、このカッター４１によってアッセンブリＡから係止ピン材１が単体に切離されることとなる。さらに、前記した通行ガイド溝４０は係止ピン材１のパドル部５の部分を逃がし、詰まりを防止するため一部を波状に曲成したものとしている。
【００２８】
前記した装着ガイド部２３の下方には、ケーシング１１に切り欠き１１ａが形成され、その切り欠き１１ａに対し連結部２の排出方向性をガイドする第一、第二のガイドアタッチメント２４、２５が着脱交換可能に備えられる。第一のガイドアタッチメント２４は連結部２をケーシング１１の側面後方へ排出させるためのもので、底面に湾曲されたカーブ面２４ａが形成され、そのカーブ面２４ａの側縁にはガイド壁２４ｂ、２４ｃが設けられている。また、ガイド壁２４ｂは後述するようにレバー部１５の内壁面やグリップ部１２の内壁面が該ガイド効を奏するため途中で切れており、そのガイド壁２４ｂの後端がレバー部１５の前面と当接され、ガイド壁２４ｃ、カーブ面２４ａは装着装置本体１０内に挿入される。この挿入はレバー部１５の前面に形成された透孔１５ｃを通しなされるが、この透孔１５ｃは内面がアール面とされ、レバー部１５を枢動させた時に、透孔１５ｃはアタッチメント２４のカーブ面２４ａの外面と摺接し、隙間を生じる虞がなく、内部に塵埃の侵入することを防止している。また、ガイド壁２４ｃの一部に形成されたアール状の押圧部２４ｇによってセットされた前記カッター４１の下端部を押圧し、位置決めすることができるものとしている。
【００２９】
この第一のガイドアタッチメント２４の前面には端部に係合爪２４ｄ、２４ｄを一体に形成したクリップ部２４ｅ、２４ｅが形成されてその弾性により、ワンタッチでスナップインセットされるものとされており、このセットでビスに代えてケーシング１１を挟持することができる。クリップ部２４ｅ、２４ｅの表面には脱着時の滑り止め用としてのギザが形成されている。尚２４ｆは材料節減のため形成された凹溝である。また、係合爪２４ｄはケーシング１１の外側面となるクリップ部２４ｅにのみ設けることとすると、取り外し時にその外側のクリップ部２４ｅのみを操作すれば済むこととなり、作業が非常に容易となる。
【００３０】
一方、ケーシング１１の一側面には前方から後方にかけて徐々に幅と深さを小さくした排出ガイド溝２６が形成され、その排出ガイド溝２６の基端面には第一のガイドアタッチメント２４の後端が臨まされる透孔２７が穿設されている。また、レバー部１５の上端部分にも第一のガイドアタッチメント２４の後端が挿通される透孔１５ｂが穿設されたものとなっている。加えて、排出ガイド溝２６の底面には一層連結部を外方へガイドするため、山形としたテーパガイド３９を形成することもできる。
【００３１】
即ち、この第一のガイドアタッチメント２４をセットすると、アッセンブリＡから係止ピン１、１‥が切離された連結部２はこの第一のガイドアタッチメント２４のカーブ面２４ａに沿って屈曲され、その先端を透孔２７から突出し、排出ガイド溝２６の形状に沿って、徐々にその先端をケーシング１１から離れた方向へと排出していくこととなる。
【００３２】
また、第二のガイドアタッチメント２５は第一のガイドアタッチメント２４と同様に前面にクリップ部２５ｅ、２５ｅを備えて同様の着脱がなされるが、装着ガイド部２３と連通する挿通孔２５ｂが形成されて、連結部２を直下方向へ排出したい場合に使用される。そして、ギザの数を第一のアタッチメント２４と替えることで、現在いずれのアタッチメントが装着されているのかが一見して判別できる。そして、挿通孔２５ｂに沿って形成されている突出部２５ｆがカッター４１を押圧位置決めする。
【００３３】
さらに、図中２８は装着ガイド部２３にセットされたアッセンブリＡを係止ピン１、１‥の間隔ごとに送っていく送り部材（枢動部材）を示しており、この送り部材２８は前端面に金属で成形され、先端をフック状に下方へ屈曲させた送り爪２９を備えている。この送り爪２９は金属プレート３０の一部を加工したもので、その金属プレート３０が送り部材２８の前方に固着された構成となっている。
【００３４】
また、この送り部材２８の後端近傍には小判型をした長孔３１が形成されており、この長孔３１に、支持部材３２の前端に突設された係合ピン３３が嵌合されている。支持部材３２はケーシング１１の内面リブ３６の構造によって位置決めされている。さらに、この内面リブ３６にはリンクアーム１６の枢支ピン１７近くの前端面に形成された山形突出部１６ａが摺当接され、これを支点とすることでストローク力を強めている。
【００３５】
さらに、送り部材２８はコイルスプリング３４によって初期状態、即ち、送り爪２９が装着ガイド部２３内に位置し、アッセンブリＡを送り終わった状態に附勢されている。そして、送り部材２８の後端面は弧状に形成されており、この後端面をピストン部材１９の前受部１９ａの前面下方に形成された弧状の凹溝１９ｄで擦り押すことで送り部材２８は係合ピン３３で制御されながら枢動し、その前端、換言すると送り爪２９を装着ガイド部２３から外し、その上方へ位置させ、次に送り作業のスタンバイ状態とされる。
【００３６】
そして、図中３７は不使用時に、中空ニードル２２に被冠されて、事故を防止するニードルキャップであり、このニードルキャップ３７はケーシング１１にストラップ等の連結手段を用いて紛失しないように連結されている。このニードルキャップ３７の先端には装置本体１０や排出ガイド溝２６から出切らなかった連結部２を掻き出すための掻き出し爪３８が一体に形成されている。この掻き出し爪３８を用いることで、ケーシング１１の分解も必要なく、指先で摘めない状態の連結部２も容易に取り出すことが可能となっている。また、この掻き出し爪３８は連結部２を取り出すため保持ピン３を引っ掛ける部分の他に、先端寄りに横方向へ突出したサイド爪３８ａを一体に形成することもでき、このサイド爪３８ａでカッター４１の下端部を引っ掛け取り外す作業も行なうことができ、さらに、このサイド爪３８ａを利用して図２０に示すように横方向に保持ピン３を引っ掛け連結部２を取り出す作業も行なうことが可能となり、ピッチの粗いもの、細かいものにも対応でき、この際はニードルキャップ３７をやや回転させるようにして作業するとよい。
【００３７】
前記したスタンバイ状態から、係止ピン材１の打ち込みが終わり、レバー部１５を緩めるとリンクアーム１６はコイルスプリング１８で附勢されピストン部材１９の後受部１９ｂを押して初期状態に復元するが、この復元で、前受部１９ａの凹溝１９ｄによる送り部材２８への押圧力は解除され、送り部材２８はコイルスプリング３４の附勢力で元位置へ戻り、この際、送り爪２９はアッセンブリＡの保持ピン３を引っ掛け、１ピッチ送る作用をすることとなる。かかる動作のため、例えば特許文献２に示される第２アーム等の存在は不要となり、この第２アームが挟み、復元しなくなるといった不具合は生じることがなくなる。また、図中３５は送り部材２８を抑え、保護する金属製のカバープレートであり、このカバープレート３５には打ち込みロッド２１のブレを抑える浅い凹溝３５ａが形成されている。
【産業上の利用可能性】
【００３８】
本実施例に係る係止ピン材の装着装置は上述のように構成されている。本実施例は右利きもしくは右手で操作するのに適した構成であるが、左利き用として排出ガイド溝２６をケーシング１１の他方面に形成したり、あるいは排出ガイド溝２６をケーシング１１の両側面に形成してアタッチメントで好みの側面側に連結部２を排出できるようにすることは十分に応用実施が可能なことである。
【図面の簡単な説明】
【００３９】
【図１】本発明を実施した係止ピン材の装着装置を示す側面図である。
【図２】右側面図である。
【図３】内部機構を示す図である。
【図４】平面図である。
【図５】内部機構の一部を示す斜視図である。
【図６】リンクアームやカバープレートを外した状態の機構図である。
【図７】枢動部材と支持部材を示す図である。
【図８】第一のアタッチメントを示す平面図である。
【図９】部分断面図である。
【図１０】底面図である。
【図１１】第二のアタッチメントを示す平面図である。
【図１２】断面図である。
【図１３】底面図である。
【図１４】使用される係止ピン材のアッセンブリを示す斜視図である。
【図１５】ニードルキャップを示す図である。
【図１６】ニードルキャップの他の例を示す平面図である。
【図１７】側面図である。
【図１８】底面図である。
【図１９】正面図である。
【図２０】使用状態を示す図である。
【図２１】装着状態を示す図である。
【符号の説明】
【００４０】
１        係止ピン材
２        連結部
３        保持ピン
４        フィラメント部
５        パドル部
６        横架部
Ａ        アッセンブリ
１０      装着装置本体
１１      ケーシング
１２      グリップ部
１３      ゴムパッド
１４      ピン
１５      レバー部
１５ａ    切り欠き
１５ｂ    係合部
１５ｃ    透孔
１６      リンクアーム
１７      ピン
１８      コイルスプリング
１９      ピストン部材
１９ｄ    凹溝
２０      ガイド溝
２１      打ち込みロッド
２２      中空ニードル
２３      装着ガイド部
２４      第一のガイドアタッチメント
２５      第二のガイドアタッチメント
２６      排出ガイド溝
２７      透孔
２８      送り部材
２９      送り爪
３０      金属プレート
３１      長孔
３２      支持部材
３３      係合ピン
３４      コイルスプリング
３５      カバープレート
３６      リブ構造
３７      ニードルキャップ
３８      掻き出し爪
３８ａ    サイド爪
３９      山形のガイドテーパ
４０      通行ガイド溝
４１      カッター
【図１】
0005191707.tif 000002
【図２】
0005191707.tif 000003
【図３】
0005191707.tif 000004
【図４】
0005191707.tif 000005
【図５】
0005191707.tif 000006
【図６】
0005191707.tif 000007
【図７】
0005191707.tif 000008
【図８】
0005191707.tif 000009
【図９】
0005191707.tif 000010
【図１０】
0005191707.tif 000011
【図１１】
0005191707.tif 000012
【図１２】
0005191707.tif 000013
【図１３】
0005191707.tif 000014
【図１４】
0005191707.tif 000015
【図１５】
0005191707.tif 000016
【図１６】
0005191707.tif 000017
【図１７】
0005191707.tif 000018
【図１８】
0005191707.tif 000019
【図１９】
0005191707.tif 000020
【図２０】
0005191707.tif 000021
【図２１】
0005191707.tif 000022